(57)【特許請求の範囲】
【請求項１】
処理対象画像から特定の色の画素を検出する画像処理装置において、
色差空間において、前記特定の色が水平座標軸または垂直座標軸になるように、前記処理対象画像の画像データを座標変換する手段と、
この座標変換した色差空間において検出領域を設定し、
前記処理対象画像から前記特定の色を検出する手段と
を備えたことを特徴とする画像処理装置。
【請求項２】
前記座標変換手段は、
色差空間における座標軸と、前記色差空間における前記特定の色の座標と原点とを結ぶ直線とが形成する角度を検出し、
前記処理対象画像の画像データを前記検出した角度だけ前記原点を中心にして回転させることにより、
前記特定の色が水平座標軸または垂直座標軸になるように、前記処理対象画像を変換する構成とした
ことを特徴とする請求項１に記載の画像処理装置。
【請求項３】
前記特定の色を入力する入力手段を有する
ことを特徴とする請求項１に記載の画像処理装置。
【請求項４】
前記座標軸における特定の色の座標を中心にして、前記座標軸の延長する方向、前記座標軸と直交する方向、及び所定の輝度レベルを基準にして、前記画像変換した画像データを判断することにより、該画像変換した画像データを基準にして、前記処理対象画像から前記特定の色の画素を検出する手段を備える
ことを特徴とする請求項１に記載の画像処理装置。
【発明の詳細な説明】
【０００１】
【発明の属する技術分野】
本発明は、カラー画像を処理する種々の計測装置等において例えば特定色の画素を検出する画像処理装置に関するものである。
【０００２】
【従来の技術】
従来、カラー画像を処理する種々の計測装置等にあっては、撮像結果でなる画像データから各画素の色相（Ｈ）、彩度（Ｓ）、明度（Ｉ）を検出し、この色相（Ｈ）、彩度（Ｓ）、明度（Ｉ）を基準にして特定色の画素を検出することにより、処理対象の画像を抽出処理している。
【０００３】
このような画像処理装置においては、赤色、青色、緑色の色信号（以下原色色信号と呼ぶ）の形式で撮像結果を入力するようにされており、この原色色信号の信号レベルを基準にしても、特定色の画像を検出することができる。
ところが赤色、青色、緑色で表される原色色信号の信号レベルを基準にして、特定色の画像を検出する場合、輝度レベルが変動すると３つの原色色信号において、どの信号レベルも同時に変化するので、輝度レベルの変動に追従して特定色の画像を正しく検出することが困難になる。
【０００４】
これに対して原色色信号を輝度信号、色差信号に変換し、この色差信号を基準にして処理対象の画像データを抽出する手段も考えられる。
すなわち図５に示すように、画像データにおいては、色差信号Ｒ−Ｙ、Ｂ−Ｙを基準にした２次元の色差空間上で色彩を表すことができる。
【０００５】
これにより画像処理装置において、２つの色差信号Ｒ−Ｙ及びＢ−Ｙに対応した２つの信号レベルｒ及びｂを中心にして、この信号レベルｒ及びｂに対してそれぞれ値Δｒ／２、Δｂ／２だけ変位してしきい値を設定することにより、２次元の色差空間で座標（ｒ、ｂ）を中心にしてそれぞれΔｒ、Δｂだけ広がる矩形形状の領域を設定することができ、これによりこのしきい値を基準にして色差信号の信号レベルを判断して、この矩形形状の領域に分布する特定色の画像を検出することができる。
【０００６】
ところで、この色差空間においては、原点から座標（ｒ、ｂ）までの距離で座標（ｒ、ｂ）の彩度が規定されるのに対し、原点と座標（ｒ、ｂ）とを結ぶ直線の角度で座標（ｒ、ｂ）の色相が規定される。
これによりこのように色差信号を基準にして特定色の画像を検出する場合、同じようにしきい値を設定しても、特定色の座標が座標軸Ｒ−Ｙ又はＢ−Ｙから離れている場合と、特定色の座標が座標軸Ｒ−Ｙ又はＢ−Ｙに近接している場合とで、色相及び彩度の変化に対して異なる検出結果が得られる。
この場合も色彩の変化に対して、追従が困難になってしまう。
【０００７】
これに対してそれぞれ色相（Ｈ）、彩度（Ｓ）、明度（Ｉ）を表す３つの信号（以下ＨＳＩ信号と呼ぶ）に原色色信号を変換した後、このＨＳＩ信号に基づいて特定色を検出する場合、輝度変化に追従して、さらには色相及び彩度の変化に追従して特定色を検出することができる。
【０００８】
【発明が解決しようとする課題】
ところが、ＨＳＩ信号を生成のためにには、煩雑な演算処理を繰り返す必要がある。このためＨＳＩ信号に基づいて特定色を検出する場合、処理に時間を要してしまい、また、演算処理過程の桁落ちによりＨＳＩ信号の精度が劣化し、特定色検出の精度が劣化してしまう。
【０００９】
本発明は上記課題に鑑みてされたもので、簡単かつ短時間で、特定色を確実に検出することができる画像処理装置を提供することを目的としている。
【００１０】
【課題を解決するための手段】
かかる課題を解決するため本発明の画像処理装置は、処理対象画像から特定の色の画素を検出する画像処理装置において、色差空間において、前記特定の色が水平座標軸または垂直座標軸になるように、前記処理対象画像の画像データを座標変換する手段と、この座標変換した色差空間において検出領域を設定し、前記処理対象画像から前記特定の色を検出する手段とを備えたものである。
【００１１】
上記した構成によれば、色空間の本来の座標軸から特定の色が離間した場合でも、この座標軸に特定の色が近接している場合と同様に特定色を検出することができる。
【００１２】
【発明の実施の形態】
以下、本発明の好適な一実施形態を添付図面に基づいて詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様の限られるものではない。
【００１３】
図２は、本発明の一実施形態に係る画像処理システムを示すブロック図である。
図において、この画像処理システム１は、カメラ２で処理対象３を撮像し、その撮像結果を原色色信号Ｒ、Ｇ、Ｂの形式で画像処理装置４に出力する。
【００１４】
画像処理装置４は、この原色色信号Ｒ、Ｇ、Ｂをモニタ５に表示し、これにより撮像結果をモニタできるようになっている。さらにキーボード７及びマウス８を操作して、必要に応じてこの撮像結果に予備的処理を行い、処理対象の画像を１フレーム分取り込み得るようになっている。
この予備的処理としては、撮像結果の色相を補正する色補正、撮像結果のコントラストを補正するコントラスト変換、撮像結果の色調を補正するカラー強調及び撮像結果の空間周波数を補正するフィルタリングの処理等であり、オペレータは、必要に応じてこれらの処理を選択できるようになっている。
【００１５】
さらに画像処理装置４は、この取り込んだ処理対象画像を確認できるように、この処理対象画像をモニタ５に表示し、このとき選択可能なメニューを併せてモニタ５に表示する。
これにより画像処理装置４は、このモニタ５の表示画面を目視確認しながらマウス８を操作してアイコンをクリックすることにより、検出対象の特定色を設定し、さらに検出モード等を選択できるようにされ、これに加えて必要に応じて検出結果を表示できるようになっている。
【００１６】
ここで画像処理装置４は、検出モードとして、ＨＳＩ信号を基準にして特定色を検出するＨＳＩモード、色差信号を座標変換した後、その座標変換結果を基準にして特定色を検出する第１の色差モード、さらに輝度信号レベルでこの色差信号を正規化した後、同様にその座標変換結果を基準にして特定色を検出する第２の色差モード、及び原色色信号に基準にして特定色を検出する原色無変換モードを有している。そして、必要に応じてこれらの中から検出モードを選択でき、これにより確実に特定色を検出できるようになっている。
【００１７】
図１に示すように、この画像処理装置４は、システム制御回路１２で所定の処理プログラムを実行し、これによりプロセッサバス１０に接続されたインターフェース回路（ＩＦ）１１を介してキーボード７、マウス８の操作を検出すると共にこれらの操作に応動して全体の動作を制御する。
【００１８】
この画像処理装置４は、プロセッサバス１０にインターフェース制御回路（ＩＦ制御）１３、インターフェース回路（ＩＦ）１４を接続し、これによりインターフェース回路１４にインターフェースバス１５及び又は光ファイバーケーブル１６を接続して、別途コンピユータ等で全体の動作を制御し、さらには検出結果を別途コンピユータ等に出力できるようになっている。
またこの画像処理装置４においては、このプロセッサバス１０にメインメモリ（ＭＭ）１８、リードオンリメモリ（ＲＯＭ）１９及びオーバーレイ用のフレームメモリ２０を接続し、これによりメモリ１８にワークエリアを確保して所定の処理プログラムを実行できるようにされ、さらにリードオンリメモリ１９に格納したキャラクタデータに基づいて、オーバーレイ用の画像データをフレームメモリ２０に格納してアイコン等を表示できるようになっている。
【００１９】
この画像処理装置４において、アナログディジタル変換回路（Ａ／Ｄ）２２は、カメラ２から出力される原色色信号Ｒ、Ｇ、Ｂを受け、タイミングジェネレータ（ＴＧ）２３から出力される基準信号に基づいてこの原色色信号Ｒ、Ｇ、Ｂをアナログディジタル変換処理し、これによりこの原色色信号Ｒ、Ｇ、Ｂを画像データに変換して入力側データバス２４に出力する。
この入力側データバス２４は、バス切換回路２５を介して第１及び第２のフレームメモリ２６及び２７に接続され、これにより画像処理装置４では、この入力側データバス２４に出力される画像データを必要に応じて第１及び第２のフレームメモリ２６及び２７に取り込み得るようにされ、また第１及び第２のフレームメモリ２６及び２７に取り込んだ画像データを入力側データバス２４に出力できるようになっている。
これにより画像処理装置４においては、特定色の検出処理過程において、必要に応じて検出対象の画像、処理中間過程の画像、検出結果を表す画像をフレームメモリ２６及び又は２７に保持できるようになっている。
【００２０】
さらに入力側データバス２４は、バス切換回路３０を介して出力側データバス３１に接続され、この出力側データバス３１は、モニタ出力回路３３に接続されると共に、バス切換回路３４を介してフレームメモリ３５に接続されるようになっている。
モニタ出力回路３３は、画像データをアナログ信号に変換して原色色信号Ｒ、Ｇ、Ｂを生成し、この原色色信号Ｒ、Ｇ、Ｂをモニタ５に出力する。
これにより画像処理装置４においては、第１及び第２のフレームメモリ２６及び２７と同様に、必要に応じて検出対象の画像、処理中間過程の画像、検出結果を表す画像をフレームメモリ３５に保持できるようにされ、またこれらの画像に代えて順次入力される原画像をモニタ５でモニタできるようになっている。
【００２１】
さらに入力側データバス２４は、タイミング合わせ用の遅延回路３７を介して色空間変換回路３８及びフィルタ回路３９に接続される。この色空間変換回路３８は、システム制御回路１２で係数を切り換え得るようにされたプログラマブルのマトリックス演算回路で形成されている。また、フィルタ回路３９は、同様にシステム制御回路１２で係数を切り換え得るようにされた垂直方向３画素、水平方向７画素の２次元フィルタで形成されている。これらは共に処理結果を出力側データバス３１に出力するようになっている。
【００２２】
これにより画像処理装置４においては、色空間変換回路３８及び又はフィルタ回路３９で予備的処理を実行し、さらに処理対象画像の画像データを色空間変換回路３８及び又はフィルタ回路３９で処理することにより、この処理対象画像に特定色検出のために必要な処理を実行する。
さらに画像処理装置４においては、このように処理した画像データをフィルタ回路３９を介してフレームメモリ３５及び又はモニタ出力回路３３に出力することにより、特定色の検出結果をフレームメモリ３５に保持すると共にモニタできるようにされ、さらにこのフレームメモリ３５に格納した検出結果に基づいて、処理対象画像から特定色をマスキングして表示し、またこれとは逆に処理対象画像から特定色の画像を抽出して表示できるようになっている。
【００２３】
すなわち画像処理装置４は、予備的処理として、オペレータが色補正、コントラスト変換、カラー強調の何れかを選択した場合、アナログディジタル変換回路２２から出力される画像データを色空間変換回路３８を介して出力側データバス３１に出力し、予備的処理として、オペレータがフィルタリングの処理を選択した場合、アナログディジタル変換回路２２から出力される画像データをフィルタ回路３９を介して出力側データバス３１に出力する。
これに対してオペレータが予備的処理を選択しない場合、アナログディジタル変換回路２２から出力される画像データをバス切換回路３０を介して出力側データバス３１に出力する。
【００２４】
これにより画像処理装置４は、原画像をモニタしながら必要に応じて予備的処理を実行し、さらにこの予備的処理を実行した原画像をモニタしながら検出対象でなる特定色（以下、対象色と言う）、検出感度及び検出モードを設定できるようになっている。
さらにこの検出モード等の設定後、画像処理装置４は、オペレータの操作に応動してこの予備的処理した原画像から処理対象の画像をフレームメモリ３５に格納し、さらにこの処理対象の画像をモニタ５に表示するようにされ、これにより使い勝手を向上できるようになっている。
【００２５】
このとき画像処理装置４は、原画像をモニタしながらオペレータがマウス８を操作して対象色を指定すると、原色色信号に対応した赤色、青色、緑色の色信号レベルでこの対象色を取り込んだ後、所定の演算処理を実行することにより、検出モードに対応してしきい値を設定する。
すなわちオペレータが原色無変換モードを選択した場合、画像処理装置４は、赤色、青色、緑色の色信号レベルについて、対象色の色信号レベルを中心にしてそれぞれ上限及び下限の信号レベルを設定し、この信号レベルをしきい値に設定する。
【００２６】
これに対してオペレータがＨＳＩモード、第１及び第２の色差モードの何れかの検出モードを選択した場合、画像処理装置４は、原色色信号に対応した対象色の色信号レベルＲ、Ｇ、Ｂについて、次式
【数１】
0003716466.tif 000002
の演算処理を実行し、これにより図３に示すように、この対象色の信号レベルを色差空間座標で表現される信号レベル（ｒ，ｂ）に変換する。なおこの実施形態においては、階調−１２８〜１２７の範囲で色差信号を表せるように、係数を正規化して処理するようになっている。
【００２７】
かくして画像処理装置４においては、システム制御回路１２において、メインメモリ１８のワークエリアを用いて、次式
【数２】
0003716466.tif 000003
【数３】
0003716466.tif 000004
【数４】
0003716466.tif 000005
の演算処理を実行することにより、（１）式の演算処理を実行する。
【００２８】
さらに画像処理装置４においては、このようにして得られた色差信号の信号レベル（ｒ，ｂ）に基づいて、色差空間を表す水平方向の座標軸（Ｒ−Ｙ）に対して、色差空間における対象色の座標（ｒ，ｂ）と原点とを結ぶ直線が形成する角度θを検出する。
これにより画像処理装置４においては、オペレータがＨＳＩモードを選択した場合、この角度θ、輝度信号レベルＹ、対象色の座標（ｒ，ｂ）から原点までの距離を検出することにより、色相、明度、彩度に対応した特定色の判定中心を検出し、この各判定中心をそれぞれ中心にして特定色検出用のしきい値を設定する。
【００２９】
これに対してオペレータが第１及び第２の色差モードの何れかの検出モードを選択した場合、画像処理装置４は、さらに次式
【数５】
0003716466.tif 000006
の演算処理を実行し、これにより色差空間における対象色の座標（ｒ，ｂ）と原点とを結ぶ直線について、この直線が２次元直交座標空間の水平座標軸ｘになるように対象色の座標（ｒ，ｂ）を座標変換する。
【００３０】
これにより図４に示すように、オペレータが第１又は第２の色差モードを選択した場合、オペレータの操作に応動して、この座標軸方向と、この座標軸方向に直交する方向に、対象色の座標（ｒ，ｂ）を中心にしてそれぞれΔｘ／２及びΔｙ／２だけ変位したしきい値を設定する。
これにより画像処理装置４においては、色差空間における対象色の座標（ｒ，ｂ）と原点とを結ぶ直線が２次元直交座標空間の水平座標軸ｘになるように座標変換した色差空間について、図４において座標（ｒ，ｂ）を囲んで示す矩形形状の領域を設定し、この領域内に分布する画素を検出することにより、特定色を検出する。
【００３１】
なお画像処理装置４においては、色差モードにおいて、これらのしきい値に加えて輝度信号Ｙについてもしきい値を設定できるようにされ、さらに第２の色差モードにおいては、この対象色の座標（ｒ，ｂ）を輝度信号レベルＹで正規化して表現するようになっている。
このようにして対象色についてしきい値を設定すると、画像処理装置４は、続くオペレータの操作に応動して出力側データバス３１上の画像データをフレームメモリ２０に取り込むことにより、予備的処理した原画像から処理対象の画像を抽出してフレームメモリ２０に格納し、さらにバス切換回路３４の動作を切り換えることにより、この処理対象画像をモニタ５に表示する。
【００３２】
続いて画像処理装置４は、必要に応じてこの処理対象画像を入力側データバス２４側のフレームメモリ２６又は２７に転送した後、この処理対象画像の画像データをフィルタ回路３９に出力し、これによりこの検出対象画像から特定色を検出する。このとき画像処理装置４は、検出モードに応じて、色空間変換回路３８に対してこの画像データの入出力を繰り返すと共に、必要に応じてこの色空間変換回路３８の出力データをフレームメモリ２７に格納する。
これにより画像処理装置４は、オペレータの選定した検出モードに応じて、処理対象画像の画像データを変換処理した後、この変換処理した画像データからフィルタ回路３９で特定色を検出するようになっている。
【００３３】
すなわちオペレータが原色無変換モードを選択した場合、画像処理装置４は、赤色、青色、緑色の色信号レベルに対応して設定されたしきい値を基準にして各画素の原色色信号レベルを判定することにより、各画素毎に、原色色信号に対応した３種類の２値化データを生成する。さらに画像処理装置４は、各画素毎に、この３種類の２値化データの論理積を検出し、これにより処理対象画像に対応した２次元の広がりを有し、かつ特定色について論理レベルが立ち上がる２値画像データを生成する。
さらに画像処理装置４は、この２値画像データの論理レベルを基準にして処理対象画像をフレームメモリ３５に選択入力し、これにより処理対象画像から特定色の画像を抽出して出力する。
【００３４】
一方、オペレータがＨＳＩモードを選択した場合、画像処理装置４は、色空間変換回路３８に所定の係数をセットした後、処理対象画像の画像データを順次この色空間変換回路３８に繰り返し出力することにより、各画素の画像データについて、（１）式の演算処理を実行し、これにより原色色信号に対応した画像データを色差信号に対応した画像データに変換する。
さらに画像処理装置４は、色空間変換回路３８の係数を切り換えた後、この変換処理した画像データを繰り返し色空間変換回路３８に出力することにより、順次、色差空間において、各画素の座標と原点とを結ぶ直線が座標軸（Ｒ−Ｙ）との間で形成する角度、輝度信号レベルＹ、各画素の座標から原点までの距離を検出する。
【００３５】
これにより画像処理装置４は、原色色信号に対応する画像データを色差空間で表される画像データに変換した後、この変換した画像データからしきい値に対応して色相、明度、彩度で表される画像データを生成する。
かくしてこの場合も画像処理装置４は、色相、明度、彩度で表される画像データについて、信号レベルを判定することにより、各画素毎に、色相、明度、彩度に対応した３種類の２値化データを生成し、この３種類の２値化データの論理積を検出することにより、処理対象画像に対応した２値画像データを生成し、これによりこの２値画像データの論理レベルを基準にして処理対象画像から特定色の画像を抽出して出力する。
【００３６】
これに対してオペレータが第１及び第２の色差モードの何れかの検出モードを選択した場合、画像処理装置４は、原色色信号に対応する画像データを、直接、対象色を水平座標軸ｘに設定した色差空間に座標変換した後、この座標変換した画像データに基づいて特定色を検出する。
【００３７】
ここで（５）式においては、対象色の座標（ｒ，ｂ）から、次式
【数６】
0003716466.tif 000007
で表できることにより、処理対象の画像データを色差空間座標に座標変換した後、（６）式の演算処理を実行すれば、パラメータに対応した２次元空間に各画像データを変換処理できることがわかる。
【００３８】
さらに（６）式の演算処理においては、（１）式を代入して次式
【数７】
0003716466.tif 000008
の関係式で表し得、これをまとめると次式、
【数８】
0003716466.tif 000009
の関係式で表すことができる。
【００３９】
すなわち画像処理装置４においては、（８）式に対応して色空間変換回路３８の係数を切り換えると共に、原色色信号に対応した画像データを繰り返し色空間変換回路３８に出力することにより、（８）式の演算処理を実行し、これにより原色色信号に対応する画像データを、直接、対象色を水平座標軸ｘに設定した色差空間に変換する。
【００４０】
かくして画像処理装置４においては、このようにして座標変換して生成された３次元の画像データについても同様に、それぞれしきい値を基準にして信号レベルを判定することにより、各画素毎に、３種類の２値化データを生成し、この３種類の２値化データの論理積を検出することにより、処理対象画像に対応した２値画像データを生成し、これによりこの２値画像データの論理レベルを基準にして処理対象画像から特定色の画像を抽出する。
【００４１】
かくして対象色を座標軸に設定してなる色差空間に画像データを変換処理して特定色を検出することにより、この座標軸を基準にした矩形形状の領域（図４）を基準にして特定色を検出することができ、これにより色の濃さ及び色相のばらつきに対して安定した特定色検出結果を得ることができる。
【００４２】
すなわち図４及び図５の対比で説明すると、色差信号を基準にして特定色を検出する従来手法においては、赤色のばらつきΔｒと青色のばらつきΔｂとで特定色検出範囲を設定するのに対し、この実施形態の色差モードにおいては、色の濃さのばらつきΔｘと色相のばらつきΔｙとで特定色検出範囲を設定することになり、その分特定色の色変化に対して安定した検出結果を得ることができる。
【００４３】
さらにこの実施形態の色差モードによれば、直接、原色色信号を目的の色差空間座標に変換できることにより、その分、短い時間で特定色を検出することができ、また桁落ちによる検出精度の劣化も有効に回避することができる。
【００４４】
具体的には、ＨＳＩモード（すなわちＨＳＩ信号を基準にして特定色を検出する場合）においては、始めに上述の（２）〜（４）式の演算処理を実行した後、続いてこの演算処理結果から角度θ及び原点までの距離を検出する演算処理を実行する必要があり、特定色検出結果を得るまでに、計５回、色空間変換回路３８に画像データを出力し、さらにこの変換処理した画像データをフィルタ回路３９に出力する必要がある。
これに対してこの実施形態によれば、（８）式の演算処理を実行するために、３回、原色色信号の画像データを色空間変換回路３８に出力した後、この変換処理した画像データをフィルタ回路３９に出力するだけで特定色を検出することができ、これにより簡単かつ短時間で、精度の高い特定色検出結果を得ることができる。
【００４５】
かくして、この実施形態において、画像処理装置４は、このようにして処理対象画像に対応した２値画像データを生成すると、この２値画像データから論理レベルが真の画像データをカウントし、これにより特定色の画素数が所定の規格値内か否か判断する。これにより画像処理装置４においては、必要に応じて特定色でなる検出対象について、その大きさ等を判断でき、さらに判断結果を出力できるようになっている。
【００４６】
尚、第２の色差モードが選択された場合においては、このようにして座標変換した画像データを輝度信号レベルＹで正規化した後、フィルタ回路３９に出力して特定色を検出するようになっている。
【００４７】
また、上述の実施形態においては、対象色が水平軸になるように座標変換する場合について述べたが、本発明はこれに限らず、対象色が垂直軸になるように座標変換してもよい。
【００４８】
さらにまた、上述の実施形態においては、原色色信号を処理する場合について述べたが、本発明はこれに限らず、色差信号と輝度信号の形式で入力されるビデオ信号を処理する場合、輝度信号とクロマ信号の形式で入力されるビデオ信号を処理する場合、さらにはディジタル信号の形式で入力されるビデオ信号を処理する場合等に広く適用することができる。
【００４９】
さらに上述の実施形態においては、特定色検出結果に基づいて画素数をカウントする場合について述べたが、本発明はこれに限らず、検出結果に基づいて処理対象画像を画像処理する場合等に広く適用することができる。
【００５０】
【発明の効果】
以上述べたように、本発明によれば、簡単な演算処理で確実に特定色を検出することができる。
【図面の簡単な説明】
【図１】本発明の一実施形態に係る画像処理装置を示すブロック図である。
【図２】図１の画像処理装置のシステム構成を示すブロック図である。
【図３】図１の画像処理装置の説明のための特性グラフである。
【図４】特定色の判断の説明のための特性グラフである。
【図５】従来の色差信号を基準とした特定色の判断の説明のための特性グラフである。
【符号の説明】
１                        画像処理システム
２                        カメラ
３                        処理対象
４                        画像処理装置
５                        モニタ
１２                      システム制御回路
２０                      フレームメモリ
２６                      フレームメモリ
２７                      フレームメモリ
３５                      フレームメモリ
２２                      アナログディジタル変換回路
２５                      バス切換回路
３０                      バス切換回路
３４                      バス切換回路
３８                      色空間変換回路
３９                      フィルタ回路
【図１】
0003716466.tif 000010
【図２】
0003716466.tif 000011
【図３】
0003716466.tif 000012
【図４】
0003716466.tif 000013
【図５】
0003716466.tif 000014